(57)【要約】１台の制御装置と、複数のマイクと、制御装置とマイクを無線通信により接続するアンテナを有し、制御装置はマイクから受信する発言要求指示情報に応じてマイクに対して発言許可指示情報を送信する発言許可手段、マイクから受信する発言禁止要求指示情報に応じて他のマイクに対して発言禁止指示情報を送信する発言禁止手段を有し、各マイクは制御装置に対して発言要求指示情報を送信し制御装置から発言許可指示情報を受信した後に入力される音声信号を制御装置に送信する発言要求手段、制御装置から発言禁止指示情報を受信した場合に制御装置への音声信号の送信を停止する発言停止手段を有している。この音声会議システムによれば、会議の進行役が他の出席者の発言を一括して禁止することができる音声会議システムを得ることができる。
2009020082.tif 000002
【特許請求の範囲】
【請求項１】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段を有し、
上記各マイクは、
上記制御装置から発言禁止指示情報を受信した場合に、制御装置への音声信号の送信を停止する発言停止手段を有することを特徴とする音声会議システム。
【請求項２】
上記制御装置は、発言禁止要求指示情報の受信に応じて、動作モードを切り換えて保持する動作モード制御手段をさらに有することを特徴とする請求の範囲第１項記載の音声会議システム。
【請求項３】
上記動作モード制御手段は、上記各マイクから発言要求指示情報を受信したときの動作モードが発言禁止モードであれば当該マイクに対して発言許可指示情報を送信しないように上記発言許可手段を動作させることを特徴とする請求の範囲第２項記載の音声会議システム。
【請求項４】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段、
上記マイクから受信する発言禁止要求指示情報に応じて、当該マイク以外の他のマイクに対して発言禁止指示情報を送信する発言禁止手段を有し、
上記各マイクは、
上記制御装置に対して発言禁止要求情報を送信し、制御装置から発言禁止指示情報を受信した場合に、制御装置への音声信号の送信を停止する発言停止手段、
上記制御装置から受信する発言禁止要求指示情報に応じて、動作モードを切り換えて保持する動作モード制御手段を有することを特徴とする音声会議システム。
【請求項５】
上記動作モード制御手段は、発言要求指示情報を送信するときの動作モードが発言禁止モードであれば制御装置に対して発言許可要求情報を送信しないように上記発言要求手段を動作させることを特徴とする請求の範囲第４項記載の音声会議システム。
【請求項６】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段を有し、
上記各マイクは、
１のマイクから送信された発言禁止要求指示情報を受信した他のマイクが、制御装置への音声信号の送信を停止する発言停止手段、
１のマイクから受信した発言禁止要求指示情報に応じて、動作モードを切り換えて保持する動作モード制御手段を有することを特徴とする音声会議システム。
【請求項７】
上記発言要求手段は、発言要求情報を送信するときの上記動作モード制御手段が保持する動作モードが発言禁止モードであれば、発言要求情報の送信を停止する手段であることを特徴とする請求項６記載の音声会議システム。
【請求項８】
１台の制御装置と、複数のマイクと、前記制御装置と前記マイクとを無線通信により接続するアンテナとを有する音声会議システムであって、
上記複数のマイクのうち少なくとも１のマイクは、上記制御装置に対して発言禁止要求指示を送信する手段を有し、
上記複数のマイクのうち他のマイクは、上記制御装置から発言禁止指示情報を受信したときに、上記制御装置への音声信号の送信を停止する発言停止手段を有し、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段、
上記発言禁止要求指示情報の受信に応じて、動作モードを切り換えて保持する動作モード制御手段を有することを特徴とする音声会議システム。
【請求項９】
上記動作モード制御手段は、上記他のマイクから発言要求指示情報を受信したときの動作モードが発言禁止モードであれば他のマイクに対して発言許可指示情報を送信しないように上記発言許可手段を動作させることを特徴とする請求の範囲第８項記載の音声会議システム。
【請求項１０】
１台の制御装置と、複数のマイクと、前記制御装置と前記マイクとを無線通信により接続するアンテナとを有する音声会議システムであって、
上記複数のマイクのうち少なくとも１のマイクは、上記制御装置に対して発言禁止要求指示を送信する手段を有し、
上記複数のマイクのうち他のマイクは、上記制御装置から発言禁止指示情報を受信したときに、制御装置への音声信号の送信を停止する発言停止手段、
上記制御装置から受信する発言禁止要求指示情報に応じて、動作モードを切り換えて保持する動作モード制御手段を有し、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段を有することを特徴とする音声会議システム。
【請求項１１】
上記動作モード制御手段は、発言要求指示情報を送信するときの動作モードが発言禁止モードであれば制御装置に対して発言許可要求情報を送信しないように上記発言要求手段を動作させることを特徴とする請求の範囲第１０項記載の音声会議システム。
【請求項１２】
１台の制御装置と、複数のマイクと、前記制御装置と前記マイクとを無線通信により接続するアンテナとを有する音声会議システムであって、
上記複数のマイクのうち少なくとも１のマイクは、他のマイクに対して発言禁止要求情報を送信する手段と有し、
上記複数のマイクのうち他のマイクは、上記１のマイクから発言禁止指示情報を受信した後に、上記制御装置への音声信号の送信を停止する発言停止手段、
１のマイクから受信した発言禁止要求指示情報に応じて、動作モードを切り換えて保持する動作モード制御手段を有し、
上記制御装置は、
上記マイクから受信する発言要求指示情報に応じて、当該マイクに対して発言許可指示情報を送信する発言許可手段を有することを特徴とする音声会議システム。
【請求項１３】
上記発言要求手段は、発言要求情報を送信するときの上記動作モード制御手段が保持する動作モードが発言禁止モードであれば、発言要求情報の送信を停止する手段であることを特徴とする請求の範囲第１２記載の音声会議システム。
【発明の詳細な説明】
【技術分野】
【０００１】
本発明は、多人数が出席する会議に用いる音声会議システムに関するものであって、特に会議の進行役が他の出席者の発言を一括して禁止することができる音声会議システムに関するものである。
【背景技術】
【０００２】
多人数が出席する会議を行う場合、発言者の声が全員に行き届くように、発言者の声をマイクロホン（以下「マイク」とする）で拾い、アンプで増幅して会議場内のスピーカから流すようにした音声会議システムが用いられる。
このような音声会議システムは、出席者の数に合わせて多数のマイクを使用する。従来の音声会議システムにおいて、出席者は発言をする際に、マイクに設置されている発言要求ボタンを押下し、これによってマイクからマスターコントロールに対して発言要求コマンドが送信され、このコマンドを受信したマスターコントロールが所定の発言制御を行なっている。
所定の発言制御とは、発言要求コマンドを受信したマスターコントロールが、当該マイクに使用させる通信チャネルの割り当てを行う処理、通信チャネルの通知を当該マイクに対する発言許可コマンドとともに送信する処理である。発言許可コマンドと使用通信チャネルの通知を受けた当該マイクに、音声が入力されるとマスターコントロールを経由してスピーカなどから出力される。
マイクとマスターコントロール間の通信チャネルが無線によるものであれば、マスターコントロールが行なう通信チャネルの割り当ては使用周波数の割り当て制御である。
このような、複数の無線チャネルによって、マイクロホンとマスターコントロール間の通信制御を行う音声会議システムにおいて、他の無線通信を用いたシステムとの併用時に、通信妨害（電波の混信など）を防止するために、無線チャネルの割り当て禁止制御を行なうことができる音声会議システムが知られている（例えば、特許文献１参照）。
特許文献１の音声会議システムは、会議参加者の発言をマスターコントロール側で強制的に制限することができる。
図７に従来の音声会議システムの構成例を示す。図７において音声会議システムは、あるマイクが発言許可を得て発言中である場合に、議長などの会議進行役が他者の発言を強制終了させることができる優先マイク（以下「Ｐマイク」とする）１００ａと一般の出席者が使用する一般マイク１００ｂとからなるマイク子機１００と、各マイク子機１００から送信される発言要求コマンドや音声を受信して、これに応じた発言許可コマンドの送信、使用する周波数の割り当て制御を含む通信制御、マイク子機から送信された音声を、スピーカを介して出力するマスターコントロール２００と、マイク子機１００とマスターコントロール２００を通信可能に接続し、マイク子機１００が発する無線信号を受信してマスターコントロール２００に通知し、マスターコントロール２００が発信する信号等を無線信号にてマイク子機１００に送信するアンテナ３００を有している。
上記従来の音声会議装置における発言制御の流れを図８のシーケンス図を用いて説明する。図８において、各処理のステップをＳ４００，Ｓ４０１のように表記する。
一般マイク１００ｂが既に発言許可コマンドを受信して発言中である場合に（Ｓ４００）、Ｐマイク１００ａの図示しない一括発言終了ボタンが押下されて、マスターコントロール２００に対して一括発言終了コマンドＣ１３が送信される（Ｓ４０１）。マスターコントロール２００は受信した一括発言終了コマンドＣ１３をトリガーとして一括発言終了処理を行ない、一般マイク１００ｂに対して一括発言終了コマンドＣ２４を送信する（Ｓ４０２）。
一括発言終了コマンドＣ２４を受信した一般マイク１００ｂは発言終了処理を行う。その後入力される音声信号は、マスターコントロール２００へ送信されない（Ｓ４０３）。発言処理が停止された後に、一般マイク１００ｂの図示しない発言要求ボタンが押下されるとマスターコントロール２００に対して発言要求コマンドＣ３１が送信される（Ｓ４０４）。
発言要求コマンドＣ３１を受信したマスターコントロール２００は、発言許可処理を行ない、当該一般マイク１００ｂに対して発言許可コマンドＣ２３を送信する（Ｓ４０５）。発言許可コマンドＣ２３を受信した当該一般マイク１００ｂは、入力される音声信号をマスターコントロール２００に送信することができるようになる（Ｓ４０６）。
このように、一括発言終了処理（Ｓ４０２）によって、一旦、強制的に発言を終了させられた一般マイク１００ｂであっても、再度の発言要求処理（Ｓ４０４）が行なわれると、当該一般マイク１００ｂを用いた発言を行うことができるようになる（Ｓ４０５、Ｓ４０６）。従って、発言を再度停止させるためには、再度、Ｐマイク１００ａの一括発言終了ボタンを押下して（Ｓ４０７）、マスターコントロール２００に対して一括発言終了コマンドＣ１３を送信し、一括発言終了処理を行なう必要がある（Ｓ４０８、Ｓ４０９）。
しかし、その後、一般マイク１００ｂから再度の発言要求（Ｓ４０９、Ｓ４１）があれば同様に発言は許可されてしまう。
上記のように従来の音声会議システムでは、会議の進行役が議事進行をスムーズに行なうために他の発言者が使用するマイクの発言許可を一括して終了させたとしても、一般マイク１００ｂの発言要求ボタンが押下されてしまえば、発言ができる状態になるので、継続的に一般マイク１００ｂの発言を制御することはできなかった。
【特許文献１】特開２００５−３３３４９８号公報
【発明の開示】
【発明が解決しようとする課題】
【０００３】
本発明は、このような課題を鑑みてなされたもので、会議の進行役が他の出席者の発言を一括して禁止することができ、かつ、禁止状態を保持することで他のマイクから音声入力を効果的に制御することができる音声会議システムを提供することを目的とする。
【課題を解決するための手段】
【０００４】
本発明は、１台の制御装置と、複数のマイクと、前記制御装置と前記マイクとを無線通信により接続するアンテナとを有する音声会議システムであって、上記制御装置は、上記マイクから受信する発言要求指示情報に応じて、当該マイクに対して発言許可指示情報を送信する発言許可手段、上記マイクから受信する発言禁止要求指示情報に応じて、他のマイクに対して発言禁止指示情報を送信する発言禁止手段を有し、上記各マイクは、上記制御装置に対して発言要求指示情報を送信し、制御装置から発言許可指示情報を受信した後に入力される音声信号を上記制御装置に送信する発言要求手段、上記制御装置から発言禁止指示情報を受信した場合に、制御装置への音声信号の送信を停止する発言停止手段を有することを主な特徴とする。
また、本発明において上記制御装置は、発言禁止要求指示情報の受信に応じて、動作モードを切り換えて保持する動作モード制御手段をさらに有することを特徴とする
また、本発明において上記動作モード制御手段は、上記各マイクから発言要求指示情報を受信したときの動作モードが発言禁止モードであれば当該マイクに対して発言許可指示情報を送信しないように上記発言許可手段を動作させることを特徴とする。
また、本発明は、１台の制御装置と、複数のマイクと、前記制御装置と前記マイクとを無線通信により接続するアンテナとを有する音声会議システムであって、上記制御装置は、上記マイクから受信する発言要求指示情報に応じて、当該マイクに対して発言許可指示情報を送信する発言許可手段、上記マイクから受信する発言禁止要求指示情報に応じて、当該マイク以外の他のマイクに対して発言禁止指示情報を送信する発言禁止手段を有し、上記各マイクは、上記制御装置に対して発言禁止要求情報を送信し、制御装置から発言禁止指示情報を受信した場合に、制御装置への音声信号の送信を停止する発言停止手段、上記制御装置から受信する発言禁止要求指示情報に応じて、動作モードを切り換えて保持する動作モード制御手段を有することを特徴とする。
また、本発明は上記動作モード制御手段において、発言要求指示情報を送信するときの動作モードが発言禁止モードであれば制御装置に対して発言許可要求情報を送信しないように上記発言要求手段を動作させることを特徴とする。
さらに、本発明は、１台の制御装置と、複数のマイクと、前記制御装置と前記マイクとを無線通信により接続するアンテナとを有する音声会議システムであって、上記制御装置は、上記マイクから受信する発言要求指示情報に応じて、当該マイクに対して発言許可指示情報を送信する発言許可手段を有し、上記各マイクは、１のマイクから送信された発言禁止要求指示情報を受信した他のマイクが、制御装置への音声信号の送信を停止する発言停止手段、１のマイクから受信した発言禁止要求指示情報に応じて、動作モードを切り換えて保持する動作モード制御手段を有することを特徴とする。
また、本発明は上記発言要求手段において、発言要求情報を送信するときの上記動作モード制御手段が保持する動作モードが発言禁止モードであれば、発言要求情報の送信を停止する手段であることを特徴とする。
また、本発明は、１台の制御装置と、複数のマイクと、前記制御装置と前記マイクとを無線通信により接続するアンテナとを有する音声会議システムであって、上記複数のマイクのうち少なくとも１のマイクは、上記制御装置に対して発言禁止要求指示を送信する手段を有し、上記複数のマイクのうち他のマイクは、上記制御装置から発言禁止指示情報を受信したときに、上記制御装置への音声信号の送信を停止する発言停止手段を有し、上記制御装置は、上記マイクから受信する発言要求指示情報に応じて、当該マイクに対して発言許可指示情報を送信する発言許可手段、上記マイクから受信する発言禁止要求指示情報に応じて、他のマイクに対して発言禁止指示情報を送信する発言禁止手段、上記発言禁止要求指示情報の受信に応じて、動作モードを切り換えて保持する動作モード制御手段を有することを特徴とする。
また、本発明は上記動作モード制御手段において、上記他のマイクから発言要求指示情報を受信したときの動作モードが発言禁止モードであれば他のマイクに対して発言許可指示情報を送信しないように上記発言許可手段を動作させることを特徴とする。
さらに、本発明は、１台の制御装置と、複数のマイクと、前記制御装置と前記マイクとを無線通信により接続するアンテナとを有する音声会議システムであって、上記複数のマイクのうち少なくとも１のマイクは、上記制御装置に対して発言禁止要求指示を送信する手段を有し、上記複数のマイクのうち他のマイクは、上記制御装置から発言禁止指示情報を受信したときに、制御装置への音声信号の送信を停止する発言停止手段、上記制御装置から受信する発言禁止要求指示情報に応じて、動作モードを切り換えて保持する動作モード制御手段を有し、上記制御装置は、上記マイクから受信する発言要求指示情報に応じて、当該マイクに対して発言許可指示情報を送信する発言許可手段、上記マイクから受信する発言禁止要求指示情報に応じて、他のマイクに対して発言禁止指示情報を送信する発言禁止手段を有することを特徴とする。
また、本発明は上記動作モード制御手段において、発言要求指示情報を送信するときの動作モードが発言禁止モードであれば制御装置に対して発言許可要求情報を送信しないように上記発言要求手段を動作させることを特徴とする。
また、本発明は、１台の制御装置と、複数のマイクと、前記制御装置と前記マイクとを無線通信により接続するアンテナとを有する音声会議システムであって、上記複数のマイクのうち少なくとも１のマイクは、他のマイクに対して発言禁止要求情報を送信する手段と有し、上記複数のマイクのうち他のマイクは、上記１のマイクから発言禁止指示情報を受信した後に、上記制御装置への音声信号の送信を停止する発言停止手段、１のマイクから受信した発言禁止要求指示情報に応じて、動作モードを切り換えて保持する動作モード制御手段を有し、上記制御装置は上記マイクから受信する発言要求指示情報に応じて、当該マイクに対して発言許可指示情報を送信する発言許可手段を有することを特徴とする。
さらに、本発明は上記発言要求手段において、発言要求情報を送信するときの上記動作モード制御手段が保持する動作モードが発言禁止モードであれば、発言要求情報の送信を停止する手段であることを特徴とする。
【発明の効果】
【０００５】
本発明によれば、特定のマイクによって、他のマイクの発言禁止制御をすることができるので、会議が紛糾した場合など、会議の進行役が強制的に全てのマイクからの入力を禁止することでスムーズな議事進行をすることができるようになる。また、禁止モード時には、他のマイクからの発言要求を受付けないので、一旦発言を禁止すると、解除するまでその状態を保持することができ、進行役の裁量において発言を効果的に制御することができるようになる。
【図面の簡単な説明】
【０００６】
第１図は、本発明にかかる音声会議システムの構成例を示す概略図である。
第２図は、上記音声会議システムの一実施例の機能ブロックを示すブロック図である。
第３図は、上記音声会議システムの動作の流れを示すシーケンス図である。
第４図は、本発明にかかる音声会議システムの別の実施例における機能ブロックを示すブロック図である。
第５図は、上記音声会議システムの動作の流れを示すシーケンス図である。
第６図は、上記音声会議システムの別の実施例の動作を示すシーケンス図である。
第７図は、従来の音声会議システムの構成を示す概略図である。
第８図は、従来の音声会議システムの機能ブロックを示すブロック図である。
【符号の説明】
【０００７】
１０    マイク子機
１０ａ  優先マイク
１０ｂ  一般マイク
１０ｃ  優先マイク
１０ｄ  一般マイク
２０    マスターコントロール
３０    アンテナ
【発明を実施するための最良の形態】
【０００８】
以下、本発明にかかる音声会議システムの実施例について図面を参照しながら説明する。図１は、本発明に係る音声会議システムの構成を示す概略図である。
図１において音声会議システムは、議長などの会議進行役が使用して発言中のマイクに対して、音声信号の送信停止を強制することができる優先マイク（以下「Ｐマイク」とする）１０ａと一般の出席者が使用する一般マイク１０ｂとからなるマイク子機１０と、各マイク子機１０から入力される発言要求コマンドや音声信号を受信して、発言許可制御、使用する周波数の割り当て制御を含む通信制御を行なうマスターコントロール２０と、マイク子機１０とマスターコントロール２０を通信可能に接続し、マイク子機１０が発する無線信号を受信してマスターコントロール２０に通知し、マスターコントロールが発信する信号等をマイク子機１０に無線で送信するアンテナ３０を有してなる。
Ｐマイク１０ａは、少なくとも図示しない発言要求ボタンおよび発言禁止ボタンを備えており、使用者が入力する音声信号や上記の各ボタンが押下されたことに対応してマスターコントロール２０に所定のコマンドを送信する機能を有する。また、Ｐマイク１０ａは、マスターコントロール２０から送信されるコマンドにもとづいて所定の処理をする機能を有する。
一般マイク１０ｂは、進行役以外のその他の出席者が使用するものであって、少なくとも図示しない発言要求ボタンを備えており、使用者が入力する音声や上記ボタンが押下されたボタンに対応してマスターコントロール２０に所定のコマンドを送信する機能を有する。また、一般マイク１０ｂは、マスターコントロール２０から送信されるコマンドにもとづいて所定の処理をする機能を有する。
マスターコントロール２０は、マイク子機１０から通知されるコマンドを受信して、それに対応する処理を行ない、また、マイク子機１０から入力される音声信号を図示しないスピーカに出力する機能を有する。アンテナ３０は、マイク子機１０とマスターコントロール２０を通信可能に接続し、マイク子機１０に対して通信制御を行なう。ここで利用される通信方式は例えば、盗聴されにくい赤外線方式である。
【実施例１】
【０００９】
図２に本発明に係る音声会議システムの機能ブロックを示す。Ｐマイク１０ａは、少なくとも、アンテナ３０と通信を行なう無線通信部１１と、図示しない発言要求ボタンの押下を検知してマスターコントロール２０に発言要求コマンドＣ３１を送信する発言要求部１２と、図示しない発言禁止ボタンを押下することで、マスターコントロール２０に発言禁止要求コマンドＣ１１を送信する発言禁止要求部１３とを有する。
また、一般マイク１０ｂは、少なくとも、アンテナ３０と通信をおこなう無線通信部１４と、図示しない発言要求ボタンの押下を検知してマスターコントロール２０に発言要求コマンドＣ３１を送信し、また、マスターコントロール２０から受信する発言許可コマンドＣ２２に応じて音声入力のマスターコントロール２０への送信を行なう発言要求部１５と、マスターコントロール２０から発言禁止コマンドＣ２１を受信した場合、音声入力のマスターコントロール２０への送信を停止する発言停止部１６とを有する。
マスターコントロール２０は、マイク子機１０に対向して通信を行なうアンテナ３０を制御して各マイク子機１０との間で必要な情報の送受信を制御する通信制御部２１と、マイク子機１０が使用する周波数が重複しないように周波数を割り当てる周波数割り当て部２２と、一般マイク１０ｂから受信する発言要求コマンドＣ３１に応じて、当該一般マイク１０ｂに対して発言許可コマンドＣ２２を送信する発言許可部２３と、Ｐマイク１０ａから受信する発言禁止要求コマンドＣ１１に応じて、一般マイク１０ｂに対して発言禁止コマンドＣ２１を送信する発言禁止部２４と、Ｐマイク１０ａから発言禁止要求コマンドＣ１１を受信したときに、マスターコントロール２０の動作モードが通常モードであれば動作モードを発言禁止モードに切り換えて、発言禁止部２４に対して一般マイク１０ｂに対する発言禁止コマンドＣ２１の送信を指示し、発言禁止要求コマンドＣ１１を受信した時に発言禁止モードであれば動作モードを通常モードに切り換える動作モード制御部２５とを備える。
アンテナ３０は、マイク子機１０とマスターコントロール２０を無線通信方式によって通信可能に接続する。アンテナ３０は、マスターコントロール２０が割り当てる周波数を使用してマイク子機１０との通信を制御する通信制御部３２と、通信制御部３２によって指示される無線周波数を用いてマイク子機１０と各種情報の送受信を行なう無線通信部３１とを有する。
本発明にかかる音声会議システムの実施例について図３のシーケンス図を用いて説明する。各処理のステップをＳ１００、Ｓ１０１・・として表記している。
本形態の説明においては、上記発言禁止要求コマンドＣ１１を受信した時点では通常モードで動作していたものとして説明する。
図３において、一般マイク１０ｂは、既に発言許可コマンドＣ２２を受信して発言中である（Ｓ１００）。
ここでＰマイク１０ａの図示しない発言禁止ボタンが押下されると発言禁止要求部１３がマスターコントロール２０に対して発言禁止要求コマンドＣ１１を送信する（Ｓ１０１）。発言禁止要求コマンドＣ１１を受信したマスターコントロール２０は、動作モード制御部２５において現在の動作モードを判定し、通常モードであれば発言禁止モードに切り換えて、また、発言禁止モードであれば通常モードに切り換える処理をする（Ｓ１０２）。
動作モード制御部２５は、動作モードを発言禁止モードに切り換えて、発言禁止部２４に対して発言禁止コマンドＣ２１の一括送信を指示する。発言禁止部２４は全ての一般マイク１０ｂに対して発言禁止コマンドＣ２１を送信する（Ｓ１０３）。
発言禁止コマンドＣ２１を受信した一般マイク１０ｂは、発言停止部１６によって、音声入力のマスターコントロール２０への送信を停止する（Ｓ１０４）。
次に、一般マイク１０ｂの使用者が再度の発言許可を得るべく発言要求ボタンを押下したとき、発言要求コマンドＣ３１がマスターコントロール２０に送信される（Ｓ１０５）。
発言要求コマンドＣ３１を受信したマスターコントロール２０は動作モード制御部２５において動作モードを判定する（Ｓ１０６）。現在の動作モードが発言禁止モードであるので、動作モード制御部２５は当該発言要求コマンドＣ３１に対して何も処理をすることなく、一般マイク１０ｂに発言許可コマンドＣ２２は送信されない。
次に、Ｐマイク１０ａの発言禁止ボタンが押下され発言禁止要求コマンドＣ１１がマスターコントロール２０に送信されると（Ｓ１０７）、動作モード制御部２５は現在の動作モードを判定し、動作モードの切り換え処理を行なう（Ｓ１０８）。
このときの動作モードは発言禁止モードなので、動作モード制御部２５は通常モードに切り換える処理を行なう。次に、一般マイク１０ｂの発言要求ボタンが押下され発言要求コマンドＣ３１がマスターコントロール２０に送信されると（Ｓ１０９）、動作モードは通常モードであるので（Ｓ１１０）、動作モード制御部２５は発言許可部２３に対して、当該一般マイク１０ｂに発言許可コマンドＣ２２の送信を指示する（Ｓ１１１）。
発言許可コマンドＣ２２を受信した一般マイク１０ｂは、音声入力をマスターコントロール２０に送信して、発言をすることができる（Ｓ１１２）。
【実施例２】
【００１０】
次に、本発明に係る音声会議システムにおける別の実施形態について、図４の機能ブロック図、及び、図５のシーケンス図を用いて説明する。
図４においてＰマイク１０ｃは、少なくとも、アンテナ３０と通信を行なう無線通信部１１と、図示しない発言要求ボタンの押下を検知してマスターコントロール２０ａに発言要求コマンドＣ３１を送信し、マスターコントロール２０ａから発言許可コマンドＣ２２を受信して音声入力のマスターコントロール２０ａへの送信を制御する発言要求部１２と、図示しない発言禁止ボタンを押下することで、マスターコントロール２０ａまたは一般マイク１０ｄに発言禁止コマンドＣ２１を送信する発言禁止要求部１３ａとを有する。
一般マイク１０ｄは、少なくとも、アンテナ３０と通信をおこなう無線通信部１４と、図示しない発言要求ボタンの押下を検知してマスターコントロール２０ａに発言要求コマンドＣ２２を送信し、マスターコントロール２０ａから発言許可コマンドＣ２２を受信して音声入力のマスターコントロール２０ａへの送信を制御する発言要求部１５と、マスターコントロール２０ａまたはＰマイク１０ｃから発言禁止要求コマンドＣ１１を受信した場合に動作モードを判定し、動作モードが通常モードであれば動作モードを発言禁止モードに切り換え、動作モードが発言禁止モードであれば通常モードに切り換える動作モード制御部１７と、動作モード制御部１７の指示により音声入力のマスターコントロール２０ａへの送信を停止する発言停止部１６ａとを有する。
マスターコントロール２０ａは、実施例１に示したマスターコントロール２０が備える動作制御部２５を有さずに、マイク子機１０に対向して通信を行なうアンテナ３０を制御して各マイク子機１０との間で必要な情報の通信を制御する通信制御部２１と、マイク子機１０が使用する周波数が重複しないように割り当てる周波数割り当て部２２と、一般マイク１０ｄから受信した発言要求コマンドＣ３１に対し、当該マイク子機１０ｂに対する発言許可コマンドＣ２２を送信する発言許可部２３と、Ｐマイク１０ｃから発言禁止要求コマンドＣ１１を受信し一般マイク１０ｄに対して発言禁止コマンドＣ２１を送信する発言禁止部２４とを備える。アンテナ３０は実施例１と同じ構成であるので説明は省略する。
次に、上記音声会議システムによる発言制御処理の流れについて図５のシーケンス図を用いて説明する。各処理のステップをＳ２００、Ｓ２０１・・・として表記している。図５において、一般マイク１０ｄは、既に発言許可コマンドＣ２２を受信して発言中である（Ｓ２００）。
ここでＰマイク１０ｃの図示しない発言禁止ボタンが押下されると発言禁止要求部１３ａがマスターコントロール２０ａに対して発言禁止要求コマンドＣ１１を送信する（Ｓ２０１）。発言禁止要求コマンドＣ１１を受信したマスターコントロール２０ａは、発言禁止コマンドＣ２１を一般マイク１０ｄに対して送信する（Ｓ２０２）。
発言禁止コマンドＣ２１を受信した一般マイク１０ｄは、動作モード制御部１７において現在の動作モードを判定し、通常モードであれば発言禁止モードに切り換える処理を行い、また、発言禁止モードであれば通常モードに切り換える処理をする（Ｓ２０３）。
ここでは通常モードで動作していたものとして説明する。動作モード制御部１７は、動作モードを通常モードから発言禁止モードに切り換えた後に、発言停止部１６ａに対して発言停止を指示し、これによって一般マイク１０ｄによる音声入力のマスターコントロール２０ａへの送信が停止する（Ｓ２０４）。
次に、一般マイク１０ｄの図示しない発言要求ボタンが押下された場合、動作モード制御部１７は現在の動作モードの判定を行なう。このときの動作モードは発言禁止モードであるので発言要求部１５は発言要求コマンドＣ３１を送信しない（Ｓ２０５）。
次に、Ｐマイク１０ｃの図示しない発言禁止ボタンが押下されてマスターコントロール２０ａに対して発言禁止要求コマンドＣ１１が送信されると（Ｓ２０６）、マスターコントロール２０ａは、一般マイク１０ｄに対して発言禁止コマンドＣ２１を送信する（Ｓ２０７）。
発言禁止コマンドＣ２１を受信した一般マイク１０ｄは、動作モード制御部１７において現在の動作モードを判定する（Ｓ２０８）。このときの動作モードは、発言禁止モードなので通常モードに切り換える処理を行なう。
次に、一般マイク１０ｄの図示しない発言要求ボタンが押下されると、動作モードは通常モードなのでマスターコントロール２０ａに対して発言要求コマンドＣ３１が送信される（Ｓ２０９）。
発言要求コマンドＣ３１を受信しマスターコントロール２０ａは、当該一般マイク１０ｄに対して発言許可コマンドＣ２２を送信する（Ｓ２１０）。発言許可コマンドＣ２２を受信した一般マイク１０ｄを使用して発言することができる（Ｓ２１１）。
【実施例３】
【００１１】
次に、図４に示した音声会議システムにおける更に別の実施形態ついて、図６のシーケンス図を用いて説明する。図６においても各処理のステップをＳ３００、Ｓ３０１のように表記している。
図６において、一般マイク１０ｄは、既に発言許可コマンドＣ２３を受信して発言中である（Ｓ３００）。ここでＰマイク１０ｃの図示しない発言禁止ボタンが押下されると発言禁止要求部１３ａが一般マイク１０ｄに対して発言禁止要求コマンドＣ１２を送信する（Ｓ３０１）。
発言禁止要求コマンＣ１２ドを受信した一般マイク１０ｄは、動作モード制御部１７において現在の動作モードを判定し、通常モードであれば発言禁止モードに切り換え、発言禁止モードであれば通常モードに切り換える処理をする（Ｓ３０２）。
本実施形態の説明においては、ここでは発言禁止コマンドを受信ときの動作モードは通常モードであった場合を用いて説明する。動作モード制御部１７は動作モードを発言禁止モードに切り換えた後に、発言停止部１６ａに対して発言停止を指示し、これによって一般マイク１０ｄから入力される音声のマスターコントロール２０ａへの送信が停止する（Ｓ３０３）。
次に一般マイク１０ｄの図示しない発言要求ボタンが押下された場合、動作モード制御部１７は現在の動作モードの判定を行なう。現在は発言禁止モードであるので発言要求部１５は発言要求コマンドＣ３２を送信しない（Ｓ３０４）。
次に、Ｐマイク１０ｃの図示しない発言禁止ボタンが押下されると、一般マイク１０ｄに対して発言禁止要求コマンドＣ１２が送信される（Ｓ３０５）。発言禁止要求コマンドＣ１２を受信した一般マイク１０ｄは、動作モード制御部１７において現在の動作モードを判定する（Ｓ３０６）。このときの動作モードは発言禁止モードなので通常モードに切り換える処理を行なう。
次に、一般マイク１０ｄの図示しない発言要求ボタンが押下されると、このときの動作モードは通常モードなので、マスターコントロール２０に対して発言要求コマンドＣ３１が送信される（Ｓ３０７）。発言要求コマンドＣ３１を受信したマスターコントロール２０ａは、当該一般マイク１０ｄに対して発言許可コマンドＣ２２を送信する（Ｓ３０８）。発言許可コマンドＣ２２を受信した一般マイク１０ｄを使用して発言することができる（Ｓ３０９）。
上記実施例１乃至３の説明に用いたマイク子機１０は、図示しない発言要求ボタンを押下することで発言要求コマンドＣ２２を送信したが、発言要求コマンドの送信手段はこれに限らず、マイク子機１０に対する音声入力を検知して自動的に発言要求コマンドＣ２２を送信する発言要求手段を備えたマイク子機１０を用いてもよい。
【産業上の利用可能性】
【００１２】
本発明は、多人数が一同に介して発言をしあう場において、発言が錯綜して混乱することが内容に、権限ある者による発言の制御が効果的に行うことができるので、参加者の多少に関わらず適用することができる。
【図１】
2009020082.tif 000003
【図２】
2009020082.tif 000004
【図３】
2009020082.tif 000005
【図４】
2009020082.tif 000006
【図５】
2009020082.tif 000007
【図６】
2009020082.tif 000008
【図７】
2009020082.tif 000009
【図８】
2009020082.tif 000010
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段を有し、
上記各マイクは、
上記制御装置から発言禁止指示情報を受信した場合に、制御装置への音声信号の送信を停止する発言停止手段を有することを特徴とする音声会議システム。
【請求項２】
上記制御装置は、発言禁止要求指示情報の受信に応じて、動作モードを切り換えて保持する動作モード制御手段をさらに有することを特徴とする請求の範囲第１項記載の音声会議システム。
【請求項３】
上記動作モード制御手段は、上記各マイクから発言要求指示情報を受信したときの動作モードが発言禁止モードであれば当該マイクに対して発言許可指示情報を送信しないように上記発言許可手段を動作させることを特徴とする請求の範囲第２項記載の音声会議システム。
【請求項４】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段、
上記マイクから受信する発言禁止要求指示情報に応じて、当該マイク以外の他のマイクに対して発言禁止指示情報を送信する発言禁止手段を有し、
上記各マイクは、
上記制御装置に対して発言禁止要求指示情報を送信し、制御装置から発言禁止指示情報を受信した場合に、制御装置への音声信号の送信を停止する発言停止手段、
上記制御装置から受信する発言禁止要求指示情報に応じて、動作モードを切り換えて保持する動作モード制御手段を有することを特徴とする音声会議システム。
【請求項５】
上記各マイクは、上記制御装置に対して発言要求指示情報を送信する発言要求手段を更に有し、
上記動作モード制御手段は、発言要求指示情報を送信するときの動作モードが発言禁止モードであれば制御装置に対して発言許可要求情報を送信しないように上記発言要求手段を動作させることを特徴とする請求の範囲第４項記載の音声会議システム。
【請求項６】
１台の制御装置と、複数のマイクと、前記制御装置と前記マイクとを無線通信により接続するアンテナとを有する音声会議システムであって、
上記制御装置は、
上記マイクから受信する発言要求指示情報に応じて、当該マイクに対して発言許可指示情報を送信する発言許可手段を有し、
上記各マイクは、
１のマイクから送信された発言禁止要求指示情報を受信した他のマイクが、制御装置への音声信号の送信を停止する発言停止手段、
１のマイクから受信した発言禁止要求指示情報に応じて、動作モードを切り換えて保持する動作モード制御手段、
上記制御装置に発言要求情報を送信するとき、上記動作モード制御手段が保持する動作モードが発言禁止モードであれば発言要求情報の送信を停止し、発言許可モードであれば発言要求情報を送信する発言要求手段、を有することを特徴とする音声会議システム
【請求項７】
（削除）
【請求項８】
１台の制御装置と、複数のマイクと、前記制御装置と前記マイクとを無線通信により接続するアンテナとを有する音声会議システムであって、
上記複数のマイクのうち少なくとも１のマイクは、上記制御装置に対して発言禁止要求指示情報を送信する手段を有し、
上記複数のマイクのうち他のマイクは、上記制御装置から発言禁止指示情報を受信したときに、上記制御装置への音声信号の送信を停止する発言停止手段を有し、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段、
上記発言禁止要求指示情報の受信に応じて、動作モードを切り換えて保持する動作モード制御手段を有することを特徴とする音声会議システム。
【請求項９】
上記動作モード制御手段は、上記他のマイクから発言要求指示情報を受信したときの動作モードが発言禁止モードであれば他のマイクに対して発言許可指示情報を送信しないように上記発言許可手段を動作させることを特徴とする請求の範囲第８項記載の音声会議システム。
【請求項１０】
１台の制御装置と、複数のマイクと、前記制御装置と前記マイクとを無線通信により接続するアンテナとを有する音声会議システムであって、
上記複数のマイクのうち少なくとも１のマイクは、上記制御装置に対して発言禁止要求指示を送信する手段を有し、
上記複数のマイクのうち他のマイクは、上記制御装置から発言禁止指示情報を受信したときに、制御装置への音声信号の送信を停止する発言停止手段、
上記制御装置から受信する発言禁止要求指示情報に応じて、動作モードを切り換えて保持する動作モード制御手段を有し、
上記制御装置は、
上記マイクから受信する発言要求指示情報に応じて、当該マイクに対して発言許可指示情報を送信する発言許可手段、
上記マイクから受信する発言禁止要求指示情報に応じて、他のマイクに対して発言禁止指示情報を送信する発言禁止手段を有することを特徴とする音声会議システム。
【請求項１１】
上記動作モード制御手段は、発言要求指示情報を送信するときの動作モードが発言禁止モードであれば制御装置に対して発言許可要求情報を送信しないように上記発言要求手段を動作させることを特徴とする請求の範囲第１０項記載の音声会議システム。
【請求項１２】
１台の制御装置と、複数のマイクと、前記制御装置と前記マイクとを無線通信により接続するアンテナとを有する音声会議システムであって、
上記複数のマイクのうち少なくとも１のマイクは、他のマイクに対して発言禁止要求情報を送信する手段と有し、
上記複数のマイクのうち他のマイクは、上記１のマイクから発言禁止指示情報を受信した後に、上記制御装置への音声信号の送信を停止する発言停止手段、
１のマイクから受信した発言禁止要求指示情報に応じて、動作モードを切り換えて保持する動作モード制御手段、
上記制御装置に発言要求情報を送信するとき、上記動作モード制御手段が保持する動作モードが発言禁止モードであれば発言要求情報の送信を停止し、発言許可モードであれば発言要求情報を送信する発言要求手段、を有し、
上記制御装置は、
上記マイクから受信する発言要求指示情報に応じて、当該マイクに対して発言許可指示情報を送信する発言許可手段を有することを特徴とする音声会議システム。
【請求項１３】
（削除）
【国際調査報告】
2009020082.tif 000011
2009020082.tif 000012
2009020082.tif 000013
2009020082.tif 000014
2009020082.tif 000015